(57)【要約】      （修正有）【課題】効率的でユーザーフレンドリーな配達物の配送を提供する。【解決手段】配達システムは、少なくとも１つ以上の配達物２１〜２５を入れる通い箱２６を、ストッカ納品庫を複数有するストッカ５へ納品することで、配達を行う。ストッカは、通信ライン１１〜１６に接続され、通信ラインを介して配達システムを管理する管理システム１により管理される。また、配達システムは、ストッカ納品庫のサイズが通い箱のサイズの略整数倍であることを特徴とする。したがって、配達システムは、効率的でユーザーフレンドリーな配送を可能にする。【選択図】図１
2018181353.tif 000002
【特許請求の範囲】
【請求項１】
少なくとも１つ以上の配達物を入れる通い箱を、ストッカ納品庫を複数有するストッカへ納品することで、配達を行うことができる配達システムであって、
前記ストッカはネットワークに接続され、
前記ネットワークを介して前記配達システムを管理する管理システムにより管理されること、
を特徴とする配達システム。
【請求項２】
前記ストッカ納品庫のサイズは前記通い箱のサイズの略整数倍であること、
を特徴とする請求項１に記載の配達システム。
【請求項３】
前記通い箱には固体認識コードが付され、
前記固体認識コードは前記ストッカが有する読取手段によって読み取られることができること、
を特徴とする請求項１乃至請求項２に記載の配達システム。
【請求項４】
前記通い箱には少なくとも１つの区分け手段を備え、
該区分け手段によって通い箱の空間を仕切ることができること、
を特徴とする請求項１乃至請求項３に記載の配達システム。
【請求項５】
前記配達システムには少なくとも１つの温度管理手段を備え、
前記通い箱に入れられた少なくとも１つの配達物の温度管理を行うことができること、
を特徴とする請求項１乃至請求項４に記載の配達システム。
【請求項６】
前記配達システムには少なくとも１つの温度時間管理手段を備え、
前記温度時間管理手段により前記通い箱に入れられた少なくとも１つの配達物の温度管理が可能な時間を算出することができること、
を特徴とする請求項１乃至請求項５に記載の配達システム。
【請求項７】
前記ストッカ納品庫内の通い箱有無情報、前記ストッカ納品庫内の通い箱サイズ情報、前記通い箱の温度管理情報、前記通い箱の温度管理可能時間情報のうち少なくとも１つを、
前記ネットワークを介して前記管理システムと前記ストッカとの間で送信又は受信を行うこと、
を特徴とする請求項１乃至請求項６に記載の配達システム。
【請求項８】
前記管理システムから前記通い箱を納品すべきストッカ納品庫の納品情報を受信し、
配達可能情報を取得したら前記納品情報と連携して該当するストッカ納品庫を開くことができるようにすること、
を特徴とする請求項１乃至請求項７に記載の配達システム。
【請求項９】
前記管理システムから予め配達物受取人により登録された受取可能ストッカ納品庫情報を、
前記通い箱を納品すべきストッカ納品庫の納品情報とともに受信し、
配達可能情報を取得したら前記納品情報と連携して該当するストッカ納品庫を開くことができるようにすること、
を特徴とする請求項１乃至請求項８に記載の配達システム。
【請求項１０】
前記管理システムが有する前記通い箱を納品すべきストッカ納品庫の納品情報が、
複数のストッカ納品庫を示している場合に、
近接する複数のストッカを選択し納品情報に追加することができること、
を特徴とする請求項１乃至請求項９に記載の配達システム。
【発明の詳細な説明】
【技術分野】
【０００１】
本発明は、情報を共有し効率的でユーザーフレンドリーな配達物の配送を可能にするシステムに関するものである。
【背景技術】
【０００２】
特許文献１には、荷物を収納して配送される配送ボックス１と、配送ルート上の拠点或いは配送車に設置され、配送ボックス１が収納される収納用冷却ラック２とを備えており、配送ボックス１は、データの保持と当該データの送受信機能を備えた記録装置とデータの表示部６とを備え、収納用冷却ラック２は、配送ボックス１を含む外部との間におけるデータの送受信機能を備えたラック制御装置２０を備える発明が記載されている。  
【０００３】
しかし、本文献には少なくとも１つ以上の配達物を入れる通い箱を、ストッカ納品庫を複数有するストッカへ納品することで配達を行うことができる配達システムであって、ストッカはネットワークに接続されネットワークを介して前記配達システムを管理する管理システムにより管理されること、を特徴とする配達システムは記載されておらず、効率的でユーザーフレンドリーな配達物の配送を可能とすることはできない。
【先行技術文献】
【特許文献】
【０００４】
【特許文献１】特開平１１−７９３３１号公報
【発明の概要】
【発明が解決しようとする課題】
【０００５】
解決しようとする問題点は、効率的でユーザーフレンドリーな配達物の配送を可能とすることである。
【課題を解決するための手段】
【０００６】
本発明は、少なくとも１つ以上の配達物を入れる通い箱を、ストッカ納品庫を複数有するストッカへ納品することで配達を行うことができる配達システムであって、前記ストッカはネットワークに接続され前記ネットワークを介して前記配達システムを管理する管理システムにより管理されること、を最も主要な特徴とする。
【発明の効果】
【０００７】
本発明の配達システムは、効率的でユーザーフレンドリーな配送を可能にする利点がある。
【図面の簡単な説明】
【０００８】
【図１】配達物、通い箱、ストッカ納品庫、ストッカ、ネットワーク、及び、管理システムの構成を示す図である。
【図２】ストッカ納品庫サイズと通い箱サイズとの関係を示す図である。
【図３】通い箱と固体認識コードとの関係を示す図である。
【図４】通い箱と区分け手段と温度管理機構との関係を示す図である。
【図５】ストッカにおいてストッカ納品庫を開くことができるようにすることを説明する図である。
【図６】通い箱を納品すべきストッカ納品庫の納品情報が、複数のストッカ納品庫を示している場合に、近接する複数のストッカを選択し納品情報に追加することができることを示す図である。
【発明を実施するための形態】
【実施例】
【０００９】
図１は、配達システムの一実施例の図であって、管理システム１、需要者側システム２、供給者側システム３、ストッカ５、配送車６を含んで構成するシステムである。場合によっては、供給者側システム３は供給者ホームページ４を含む。また、管理システム１と需要者側システム２の間には通信ライン１１、１２、管理システム１と供給者側システム３の間には通信ライン１３、１４、管理システム１とストッカ５の間には通信ライン１５、１６、を設ける。つまり、ストッカ５は、管理システム１へネットワーク接続されている。また、管理システム１はネットワークを介して、ストッカ５を含む配達システムを管理している。そして、配送車６は、商品２１乃至２５を通い箱２６により配送・納品し、需要者はそれらの受け取り１７を行う。ストッカはビル、コンビニエンスストア、工場、駅、学校、マンション、又は、個人宅など様々な場所に置くことができる。  
【００１０】
図２は、ストッカ納品庫サイズと通い箱サイズとの関係を示す図である。ストッカ２００は、ストッカ納品庫のサイズが異なる場合の一例である。通い箱２０３は大凡ストッカ納品庫のサイズと同じサイズであることを示す。また、通い箱２０１、２０２はサイズを２倍にすると大凡ストッカ納品庫のサイズになることを示す。そして、通い箱２０４、２０５、２０６のサイズを３倍にすると大凡ストッカ納品庫のサイズになることを示す。このようなサイズに規格化することで、管理システム１による管理が容易になり、ストッカ納品庫のスペースを有効に活用することができる。
【００１１】
図３は、通い箱と固体認識コードとの関係を示す図である。ストッカ納品庫３０４はストッカ内の所定のストッカ納品庫である。ストッカ納品庫３０４は固体認識コード読取手段３０１を備える。また、通い箱３０２には、固体認識コード３０３が付されている。固体認識コード読取手段３０１は、通い箱３０２がストッカ納品庫３０４に入れられると、そのコードを読み取る。固体認識コード３０３が付される位置は、通い箱３０２がストッカ納品庫３０４に入りきった時に読み取られる位置にあるとよい。この場合、ストッカは、入りきったことをトリガーとして、ストッカ納品庫３０４の扉を閉じる準備などを行うことができる。なお、固体認識コードの例として、ＲＦＩＤ、２Ｄコード、バーコード、などが挙げられる。  
【００１２】
図４は、通い箱と区分け手段と温度管理機構との関係を示す図である。図４は、通い箱４００を区切り手段４０１によって４つのスペースに区切る例を示す。具体的に示せば、図４の例は、野菜スペースにトマト４０４とレタス４０５、肉・魚スペースに魚４０６と肉４０７、乳製品スペースに牛乳４０８を入れ、さらに、予備スペースを１つ持つものである。また、図４は、４つのスペースのそれぞれに温度管理機構４０３を備える例である。温度管理機構４０３とは保冷材、保温材、などを備える機構をいう。そしてこの例では、温度管理機構４０３が温度管理コード４０２を備える。温度管理コード４０２は、温度管理機構４０３による温度管理がどの程度の時間維持できるか、温度管理機構４０３による温度管理はどの程度の温度で行われるか、温度管理機構４０３による温度管理がいつから開始されたか、温度管理機構４０３による温度管理はどのような配達物を対象とするのか、などの情報を持つことができる。温度管理コード４０２をストッカが読み取ることによりその情報を伝達することができるようにしてもよい。また、その読み取りについて固体認識コード読取手段と共通にすることもできる。この場合、固体認識コードと温度管理コードは、固体認識コード読取手段がこれらのコードを読み取ることができる位置に付される。  
【００１３】
温度管理コード４０２の持つ情報は供給者側において、配達物を通い箱へ入れ、区切り手段、温度管理機構の配置を決めるときに管理システム１へ登録される。管理システム１は、この情報と、配送ルート、ストッカの仕様などから、通い箱内の配達物の温度管理が可能な時間を算出することができる。需要者側から受取時間情報を受け取っている場合、情報を比較して配達が不可能な場合は、需要者側へその旨を連絡したり、通い箱へ配達物を入れる作業を止めたりすることができる。
【００１４】
管理システムとストッカはネットワークを介して繋がれているため、様々な情報の送信又は受信をすることができる。例えば、ストッカ納品庫内の通い箱有無情報やストッカ納品庫内の通い箱サイズ情報は、管理システムが通い箱の配達先のストッカを決める時に必要になる。また、通い箱の温度管理情報、通い箱の温度管理可能時間情報は、管理システムが通い箱の配達可否の判断、配達先のストッカの決定、又は、配送ルートの選択などに必要になる。このような情報により、ユーザーフレンドリーな配達システムの構築が可能となる。  
【００１５】
図５は、ストッカにおいてストッカ納品庫を開くことができるようにすることを説明する図である。ストッカ納品庫５０１はストッカ内の所定のストッカ納品庫である。ストッカ納品庫５０１はロック機構５０３を備える。また、ストッカ納品庫５０１は納品庫扉５０２を備える。管理システムは、所定の通い箱について配達すべきストッカ、配達すべきストッカ納品庫、又は、当該ストッカ納品庫に既に納品済みの通い箱の有無、などの情報についてストッカとの間で送信又は受信を行う。そして、ストッカは、配達員が持つ例えばＰＤＡやタブレットＰＣやスマートフォンなどの配達可能情報を有する機器から、ストッカの近くに到着したことを示す配達可能情報を取得する。ストッカは配達可能情報を取得すると、特定されたストッカ納品庫５０１の納品庫扉５０２を具体的には開錠などの動作を行い開くことができるようにする。このようなシステムは、誤配達を防ぎ温度管理などを間違えることもない。上述したように納品を完了したストッカ納品庫は、通い箱が入りきったことをトリガーとして、ストッカ納品庫５０１の納品庫扉５０２を閉じる準備などを行うことができる。例えば、オートロック等の機能を使用すれば盗難対策をすることができる。
【００１６】
配達すべきストッカは、ネットワークを介して需要者側システムに繋がれている。そして、需要者である配達物受取人がそのネットワークを通じて受取可能ストッカ納品庫情報を登録することができる。これには、ネットワークに繋がれた複数のストッカのうちどのストッカにて受取を希望するか、ストッカが有する複数のストッカ納品庫のうちどの納品庫にて受取を希望するかなどの情報が含まれる。受取人は、その身長・体格によってどの納品庫なら受け取ることができるか決めたいことがある。例えば、子供や老人は、なるべく下の方のストッカ納品庫にて受取を希望するし、身長の高い受取人は、腰をあまり曲げない位置にて受取を希望する場合もある。そして上述の配達可能情報を取得したら、該当するストッカ納品庫の開錠を行い開くことができるようにする。受取可能ストッカ納品庫情報には、第１段階として受取希望を示す情報、第２段階として受取可能を示す情報が含まれる。管理システムは、第１段階、第２段階の順に判断し納品情報を設定する。
【００１７】
図６は、通い箱を納品すべきストッカ納品庫の納品情報が複数のストッカ納品庫を示している場合に、近接する複数のストッカを選択し納品情報に追加することができることを示すものである。配達受取人は、複数のストッカ納品庫で通い箱を受け取る必要がある場合、なるべく近接する複数のストッカ納品庫にて受取を希望する場合が多い。そのような場合に管理システムは、ストッカ納品庫６０１に第１の通い箱を入れるよう指示し、第２の通い箱をストッカ納品庫６０１に近接する第１近接ストッカ納品庫６０２の範囲に入れるよう指示する。さらに、第１近接ストッカ納品庫６０２の範囲に収まらない時は、第２近接ストッカ納品庫６０３の範囲に入れるように指示する。配達受取人が追加のオーダーをする場合も同様の方法を行うことが可能である。さらに、上述した温度管理などに差し支えなければ、管理システムは、配達員に同一配達受取人の通い箱が前述のような配置になるように入れ替えを指示することができる。
【００１８】
本実施例の通い箱は図４に示すように、区分け手段と温度管理機構を持つことができるため、配達物によって適切な温度管理を行い受取人が望む配達環境を提供することができる。さらに、温度管理機構には温度計や温度記録装置を備えることも可能である。このようなものは、配達システムの品質保証の面において価値を高めることができる。そして、管理システムは、配送ルート、ストッカのスペックなどから、温度管理情報を受取人へ提供することができる。また、区分け手段は配達物の大きさによりスペースを変更可能な可動式であることが望ましい。
【００１９】
本実施例の温度管理コードの持つ情報は、固体認識コードに持たせてもよい。通い箱へ配達物を入れるときに温度管理コードが持つべき情報を固体認識コードと対応させれば、管理システムは温度管理コードが持つべき情報を固体認識コードで管理することができる。
【００２０】
固体認識コード読取手段３０１は通い箱３０２と接しない位置に設けるのが良い。これは、接触による故障や磨耗を防ぐことができるからである。
【００２１】
ストッカは予備スペースを備え、その情報を管理システムにより管理することできる。近接配置や再配
置を選択する際に予備スペースがあれば近接配置や再配置がしやすくなる。勿論、予備スペースを近接配置や再配置ではなく通常の配達に使用することもできる。
【００２２】
ストッカ納品庫はそれぞれの場所に応じて重量制限を設けることができる。本実施例のストッカでは３段になっているため、上段１０ｋｇ、中段２０ｋｇ、下段３０ｋｇというような制限を設けることができる。管理システムはネットワークを介して、重量を管理することができる。  
【００２３】
本実施例の通い箱は、温度を効率的に管理するために図４において、スペース４０９から４１２へ温度順に入れるようにすることもできる。管理システムはそのように供給者側に対して指示を行い、温度管理コード、固体認識コードのチェック時に併せて管理を行うことができる。温度管理可能時間情報は、これらの情報、通い箱の温度管理スペック、又は、配送ルート等によって決定される。また、通い箱は未開封を示す情報を固体認識コードなどに付与することができる。それにより受取人は安心して配達物を受け取ることができる。
【符号の説明】
【００２４】
１    管理システム
２    需要者側システム
３    供給者側システム
４    供給者ホームページ
５    ストッカ
６    配送車
１１    通信ライン
１２    通信ライン
１３    通信ライン
１４    通信ライン
１５    通信ライン
１６    通信ライン
１７    受け取りの流れ
１８    配送の流れ
２１    配達物
２２    配達物
２３    配達物
２４    配達物
２５    配達物
２６    通い箱
２００    ストッカ
２０１    通い箱
２０２    通い箱
２０３    通い箱
２０４    通い箱
２０５    通い箱
２０６    通い箱
３０１    固体認識コード読取手段
３０２    通い箱
３０３    固体認識コード
４００    通い箱
４０１    区切り手段
４０２    温度管理コード
４０３    温度管理機構
４０４〜４０８    配達物
５０１    ストッカ納品庫
５０２    納品庫扉
５０３    ロック機構
６０１    ストッカ納品庫
６０２    第１近接ストッカ納品庫
６０３    第２近接ストッカ納品庫
【図１】
2018181353.tif 000003
【図２】
2018181353.tif 000004
【図３】
2018181353.tif 000005
【図４】
2018181353.tif 000006
【図５】
2018181353.tif 000007
【図６】
2018181353.tif 000008
【手続補正書】
【提出日】平成30年6月1日(2018.6.1)
【手続補正１】
【補正対象書類名】明細書
【補正対象項目名】０００６
【補正方法】変更
【補正の内容】
【０００６】本発明は、少なくとも１つ以上の配達物を入れる通い箱を納品するストッカ納品庫を複数有する複数のストッカと、前記通い箱の配達先として前記複数のストッカのいずれかのストッカ納品庫を選択する管理システムとを有する配達システムであって、前記ストッカはネットワークに接続され、前記管理システムにより前記ネットワークを介して前記配達システムと配達受取人の情報を管理され、前記管理システムにより前記ネットワークを介して前記通い箱の温度管理情報を管理され、前記管理システムが有する一の配達受取人のための通い箱を納品すべきストッカ納品庫の納品情報が、複数のストッカ納品庫を示している場合に、近接する複数のストッカ納品庫を選択することができること、を最も主要な特徴とする。
【手続補正２】
【補正対象書類名】特許請求の範囲
【補正対象項目名】全文
【補正方法】変更
【補正の内容】
【特許請求の範囲】
【請求項１】
少なくとも１つ以上の配達物を入れる通い箱を納品するストッカ納品庫を複数有する複数のストッカと、前記通い箱の配達先として前記複数のストッカのいずれかのストッカ納品庫を選択する管理システムとを有する配達システムであって、前記ストッカはネットワークに接続され、前記管理システムにより前記ネットワークを介して前記配達システムと配達受取人の情報を管理され、前記管理システムにより前記ネットワークを介して前記通い箱の温度管理情報を管理され、前記管理システムが有する一の配達受取人のための通い箱を納品すべきストッカ納品庫の納品情報が、複数のストッカ納品庫を示している場合に、近接する複数のストッカ納品庫を選択することができること、を特徴とする配達システム。
【請求項２】
少なくとも１つ以上の配達物を入れるストッカ納品庫を複数有する複数のストッカと、前記配達物の配達先として前記複数のストッカのいずれかのストッカ納品庫を選択する管理システムとを有する配達システムであって、前記ストッカはネットワークに接続され、前記管理システムにより前記ネットワークを介して前記配達システムと配達受取人の情報を管理され、前記管理システムにより前記ネットワークを介して前記配達物の温度管理情報を管理され、前記管理システムが有する一の配達受取人のための配達物を納品すべきストッカ納品庫の納品情報が、複数のストッカ納品庫を示している場合に、近接する複数のストッカ納品庫を選択することができること、を特徴とする配達システム。
【請求項３】
請求項１又は請求項２のいずれか一項に記載の配達システムにおいて、前記配達物の温度管理情報は、前記ネットワークを介して前記配達受取人に提供されることを特徴とする配達システム。
【請求項４】
少なくとも１つ以上の配達物を入れるストッカ納品庫を複数有する複数のストッカと、前記配達物の配達先として前記複数のストッカのいずれかのストッカ納品庫を選択する管理システムとを有する配達システムであって、前記ストッカはネットワークに接続され、前記管理システムにより前記ネットワークを介して前記配達システムと配達受取人の情報を管理され、前記管理システムが有する一の配達受取人のための配達物を納品すべきストッカ納品庫の納品情報が、複数のストッカ納品庫を示している場合に、近接する複数のストッカ納品庫を選択することができること、を特徴とする配達システム。